(57)【要約】【課題】目標運動解析結果が得られていない場合や目標運動解析結果の精度が悪い場合でも、解析収束を加速させるための観測船の運動パターンを指示し、計算負荷を増加させることなく、予測する観測船の運動パターン数を増加させる。【解決手段】目標運動解析精度を判定し、目標運動解析結果が得られていない場合や目標運動解析結果の精度が悪い場合には、目標体の観測方位および観測方位変化率のみから解析収束を加速させるための観測船の運動パターンを指示し、目標運動解析結果の精度が良好の場合には、微分を用いた最尤法によりフィッシャー情報行列が最大となる観測船の運動パターンを算出する。【選択図】図２
2010249593.tif 000002
【特許請求の範囲】
【請求項１】
目標体から放射される音響情報を観測体が保有する音響センサにより観測および蓄積し、蓄積した時系列観測データを用いて前記目標体の位置、針路、速力を推定し、さらに目標運動解析を収束させるための前記観測体の運動パターンを指示する目標運動解析方法において、
目標運動解析精度を判定し、
前記目標運動解析精度が悪いとき、前記目標体の観測方位および観測方位変化率から決定される目標運動解析の収束を加速させるための前記観測体の運動パターンを指示し、
前記目標運動解析精度が良好のとき、目標運動解析結果を用いて計算されるフィッシャー情報行列最大化運動を指示することを特徴とする目標運動解析方法。
【請求項２】
請求項１記載の目標運動解析方法であって、
前記フィッシャー情報行列最大化運動は、針路が異なる複数の等速直進区間を含む運動であり、複数の予測時刻毎のフィッシャー情報行列式の重み付き累積値を評価関数、等速直進区間毎の複数の針路を推定パラメータとして、
微分を用いた最尤法により前記推定パラメータを算出することを特徴とする目標運動解析方法。
【請求項３】
目標体から放射される音響情報を観測する音響センサと、
観測体の位置、針路、速力を観測する航海センサと、
前記音響センサと前記航海センサとからの情報を時系列的に蓄積する観測データベースを保持するメモリと、
（１）前記目標体の位置、針路、速力を推定する処理、
（２）推定した前記目標体の位置、針路、速力の精度を判定する処理、
（３）観測方位および観測方位変化率のみから目標運度解析を収束させる前記観測体の運動パターンを決定する処理、および
（４）推定する処理の結果から、フィッシャー情報行列最大化運動を、複数の予測時間毎のフィッシャー情報行列式の重み付き累積値を評価関数、等速直進区間毎の複数の針路を推定パラメータとして、微分を用いた最尤法により推定パラメータを算出する処理、
を実行するプロセッサとからなる目標運動解析装置。
【請求項４】
目標体から放射される音響情報を観測する音響センサと、観測体の位置、針路、速力を観測する航海センサとを接続されたコンピュータを、
前記音響センサと前記航海センサとからの情報を時系列的に蓄積する観測データベース保持部、
前記目標体の位置、針路、速力の推定部、
推定した前記目標体の位置、針路、速力の精度の判定部、
観測方位および観測方位変化率から目標運度解析を収束させる前記観測体の運動パターンを決定する決定部、および
前記推定部の処理の結果から、フィッシャー情報行列最大化運動を、複数の予測時間毎のフィッシャー情報行列式の重み付き累積値を評価関数、等速直進区間毎の複数の針路を推定パラメータとして、微分を用いた最尤法により推定パラメータを算出する算出部、
として機能させるためのプログラム。
【発明の詳細な説明】
【技術分野】
【０００１】
本発明は、目標運動解析方法、目標運動解析装置およびプログラムに係り、特に、水中および水上を運動する目標が有する音源から放射される音波を音響センサにより観測し、そこから得られる到来音波の方位および周波数を用いて目標の運動諸元を解析する目標運動解析方法、目標運動解析装置およびプログラムに関する。
【背景技術】
【０００２】
目標運動解析は、観測船に設置された音響センサを用いて、目標船から放射される音波の到来方位および周波数を時系列に観測し、観測した方位および周波数を観測時刻、観測時刻における観測船の位置、針路、速力に基づいて目標船の運動ベクトル（方位、距離、針路、速力、放射音波の周波数）を推定するものである。
【０００３】
目標運動解析は、推定した目標船の運動ベクトルから計算される各観測時刻の解析方位、解析周波数と観測方位、観測周波数の残差二乗和を最小化するための目標船の運動ベクトルを推定する非線形最適化問題である。ここで、音響センサにより観測された方位、周波数を観測方位、観測周波数と呼び、推定した目標船の運動ベクトルから計算される方位、周波数を解析方位、解析周波数と呼ぶ。
【０００４】
非線形最適化問題を解析する方法としては、カルマンフィルタおよび最小二乗法による目標運動解析方法が知られている。カルマンフィルタを用いた目標運動解析方法は、非特許文献１に記載されている。また、最小二乗法を用いた目標運動解析方法については、非特許文献２に記載されている。
【０００５】
目標運動解析は、目標船が遠距離で観測方位、観測周波数の誤差が大きい場合、解析精度を一定値以下に収束させるのに長時間を要する。この問題を解決する手段として、目標船および観測船の運動パターンに関する予測計算を実施し、算出された目標船および観測船の予測運動パターンについて、目標の運動諸元を一義的に決定できるか否かの度合いを示すフィッシャー情報行列値（ＦＩＭ：Fisher Information Matrix）を評価することにより、解析収束時間が最小となる観測船の運動パターンを指示する方法がある。この方法は、特許文献１に開示されている。
【０００６】
しかし、特許文献１の方法によると、目標船の予測運動パターンは、目標運動解析結果を用いることになる。このため、目標運動解析が得られていない状態においては、フィッシャー情報行列値を計算することができない。すなわち、解析収束時間が最小となる観測船の運動パターンを指示することができない。なお、以降、解析収束時間が最小となる観測船の運動パターンを指示するための計算を「最適自船運動リコメンド」と呼ぶ。
【０００７】
さらに、特許文献１の技術による最適自船運動リコメンドは、限られた観測船の運動パターンの中でのみ最適なものである。最適自船運動リコメンド精度は、予測する観測船の運動パターン数に依存する。このため、高精度化のために予測する観測船の運動パターン数を増やすことが必要となり、計算量が莫大なものになる。
【０００８】
また、目標運動解析結果の精度が悪いと、目標運動解析結果を用いて計算する目標船の予測運動パターンの精度も悪くなり、目標船の予測運動パターンを用いて計算するフィッシャー情報行列値の精度も悪くなる。このため、目標運動解析結果の精度が悪い場合には、最適自船運動リコメンド精度は劣化する。これを解決するために、新たに方位または周波数を観測する毎に目標運動解析を行い、最適自船運動リコメンドを再計算する方法が考えられるが、計算量の問題が発生する。
【先行技術文献】
【特許文献】
【０００９】
【特許文献１】特許第４１９２０４６号
【非特許文献】
【００１０】
【非特許文献１】Song外１名、”A Stochastic Analysis of a Modified Gain Extended Kalman Filter with Application to Estimation with Bearing only Measurements”、ＩＥＥＥ会報１９８５年 Vol AC-30 No 10、pp 940-949
【非特許文献２】Nardone外２名、”Fundamental Properties and Performance of Conventional Bearing-only Target Motion Analysis”ＩＥＥＥ会報１９８４年 Vol AC-29 No 9、pp 775-787
【発明の概要】
【発明が解決しようとする課題】
【００１１】
本発明で解決しようとする問題点は、特許文献１に記載の技術において、目標運動解析結果が得られていない場合には、観測船の運動パターンを指示できない点、目標運動解析結果の精度が悪いと解析収束時間が最小となる観測船の運動パターンを指示できない点、予測する観測船の運動パターン数を増やすと計算量が莫大になる点である。本発明の目的は、精度の高い最適自船運動リコメンドを出力する目標運動解析方法、目標運動解析装置およびプログラムを提供することにある。
【課題を解決するための手段】
【００１２】
目標運動解析結果が得られていない、解析精度が悪い場合には、目標船の運動によらない観測船の運動パターンを指示し、目標運動解析結果が得られた後は、フィッシャー情報行列式を評価関数として、これを最大化する観測船の運動パターンを指示する。運動パターンについて、非線形最適化問題として捉え、評価関数の微分を利用する最尤法を用いる。
【００１３】
上述した課題は、目標体から放射される音響情報を観測体が保有する音響センサにより観測および蓄積し、蓄積した時系列観測データを用いて目標体の位置、針路、速力を推定し、さらに目標運動解析を収束させるための観測体の運動パターンを指示し、目標運動解析精度を判定し、目標運動解析精度が悪いとき、目標体の観測方位および観測方位変化率から決定される目標運動解析の収束を加速させるための観測体の運動パターンを指示し、目標運動解析精度が良好のとき、目標運動解析結果を用いて計算されるフィッシャー情報行列最大化運動を指示する目標運動解析方法により、達成できる。
【００１４】
また、目標体から放射される音響情報を観測する音響センサと、観測体の位置、針路、速力を観測する航海センサと、音響センサと航海センサとからの情報を時系列的に蓄積する観測データベースを保持するメモリと、（１）目標体の位置、針路、速力を推定する処理、（２）推定した目標体の位置、針路、速力の精度を判定する処理、（３）観測方位および観測方位変化率のみから目標運度解析を収束させる観測体の運動パターンを決定する処理、および（４）推定する処理の結果から、フィッシャー情報行列最大化運動を、複数の予測時間毎のフィッシャー情報行列式の重み付き累積値を評価関数、等速直進区間毎の複数の針路を推定パラメータとして、微分を用いた最尤法により推定パラメータを算出する処理、を実行するプロセッサとからなる目標運動解析装置により、達成できる。
【００１５】
さらに、目標体から放射される音響情報を観測する音響センサと、観測体の位置、針路、速力を観測する航海センサとを接続されたコンピュータを、音響センサと航海センサとからの情報を時系列的に蓄積する観測データベース保持部、目標体の位置、針路、速力の推定部、推定した目標体の位置、針路、速力の精度の判定部、観測方位および観測方位変化率から目標運度解析を収束させる観測体の運動パターンを決定する決定部、および推定部の処理の結果から、フィッシャー情報行列最大化運動を、複数の予測時間毎のフィッシャー情報行列式の重み付き累積値を評価関数、等速直進区間毎の複数の針路を推定パラメータとして、微分を用いた最尤法により推定パラメータを算出する算出部、として機能させるためのプログラムにより、達成できる。
【発明の効果】
【００１６】
精度の高い最適自船運動リコメンドを出力する目標運動解析方法、目標運動解析装置およびプログラムを提供することができる。
【図面の簡単な説明】
【００１７】
【図１】目標運動解析装置の構成を説明するブロック図である。
【図２】目標運動解析の原理を説明する図である。
【図３】目標運動解析および最適自船運動リコメンドのフローチャートである。
【図４】ＦＩＭ最大化運動推定処理のフローチャートである。
【図５】評価関数の有効性を説明する図である。
【図６】固定運動決定処理のフローチャートである。
【発明を実施するための形態】
【００１８】
以下、本発明による目標運動解析方法、目標運動解析装置およびプログラムの実施形態について、図面を用いて詳細に説明する。以下の実施例は、目標船の距離、方位、針路、速力を解析し、さらにこれらの解析値の精度を向上させるための観測船の針路を操船のオペレータに提供する実施例である。
【００１９】
まず、図１を参照して、目標運動解析装置の構成を説明する。図１において、目標運動解析装置５０は、ＣＰＵ５４、メインメモリ５５、出力装置５６、２台のＩ／Ｆ５７、入力装置５９から構成される。ＩＦ５７−１は、音響センサ２０を目標運動解析装置５０に接続する。ＩＦ５７−２は、航海センサ３０を目標運動解析装置５０に接続する。音響センサ２０は、目標船から放射される音波を受波して、音波の到来方位と方位誤差分散を目標運動解析装置５０に入力する。航海センサ３０は、電磁ログ、ジャイロセンサ、ＧＰＳ等により、観測船の位置、速力、針路を目標運動解析装置５０に入力する。メインメモリ５５は、目標運動解析プログラム５５１、ＦＩＭ最大化運動推定プログラム５５２、固定運動決定プログラム５５３、観測データベース５５４を記憶する。ＣＰＵは、メインメモリ５５上のプログラム５５１〜５５３を実行する。
【００２０】
入力された音波の到来方位、方位誤差分散、観測船の位置、速力、針路は、メインメモリ５５の観測データベース５５４に観測時刻と共に蓄積される。目標運動解析プログラム５５１は、目標船の位置、速力、針路を解析する。ＦＩＭ最大化運動推定プログラム５５２および固定運動決定プログラム５５３は、目標運動解析プログラム５５１の出力によって駆動される。ＦＩＭ最大化運動推定プログラム５５２および固定運動決定プログラム５５３は、目標運動解析の収束を加速させるための観測船の針路をリコメンドする。ＣＲＴ等の出力装置５６は、目標運動解析プログラム５５１の出力である目標船の位置、速力、針路およびＦＩＭ最大化運動推定プログラム５５２または固定運動決定プログラム５５３の出力である観測船リコメンド針路を表示し、操船オペレータに提示する。
【００２１】
図２を参照して、目標運動解析の原理を説明する。図２において、ｔは時刻を表し、時刻の順に１〜ｋ、ｋ＋１〜ｍ、ｍ＋１〜ｎの下付き文字を付与している。Ｏ１、Ｔ１は、初探知時刻ｔ１における観測船と目標船の位置であり、Ｏｋ、Ｔｋは、現在時刻ｔｋにおける観測船と目標船の位置である。なお、明細書では、下付き文字ではなく通常の全角小文字で表現する。これは、明細書の見辛さを防止するためである。
【００２２】
目標運動解析装置５０は、ｔ１〜ｔｋの間に観測されたデータが格納されている観測データベース５５４を使って、目標運動解析を実施し、目標船の状態ベクトルＶＴを推定する。次に、目標運動解析装置５０は、未来時刻ｔｋ＋１〜ｔｍにおける観測船の針路ＶＯ１と、未来時刻ｔｍ＋１〜ｔｎにおける観測船の針路ＶＯ２を仮定することで計算される未来時刻ｔｋ＋１〜ｔｎにおける観測船の位置座標と、状態ベクトルＶＴから計算される未来時刻ｔｋ＋１〜ｔｎの目標船の位置座標との関係から未来時刻ｔｋ＋１〜ｔｎに観測されると予想される方位を計算する。目標運動解析装置５０は、これらを観測データベース５５４に付加して、仮想観測データベース５５４Ｖを構築する。目標運動解析装置５０は、最適自船運動リコメンドについて、仮想観測データベース５５４Ｖから計算されるフィッシャー情報行列（ＦＩＭ）が最大となる観測船の針路ＶＯ１および針路ＶＯ２を推定する。
【００２３】
図３を参照して、目標運動解析および最適自船運動リコメンドを説明する。図３において、目標運動解析装置５０は、まず目標運動解析を実施する（Ｓ２０１）。目標運動解析装置５０は、解析が有効か判定する（Ｓ２０２）。有効なとき、目標運動解析装置５０は、ＦＩＭ最大化運動推定を実施して（Ｓ２０３）、終了する。ステップ２０２で無効なとき、目標運動解析装置５０は、固定運動決定を実施して（Ｓ２０４）、終了する。
【００２４】
目標運動解析処理は、観測時刻、観測方位、観測方位分散、観測時刻における観測船の位置座標が時系列に格納されている観測データベース５５４を用いて、解析基準時刻における目標の距離、方位、針路、速力を推定する処理である。その原理は、４次元の状態ベクトルＸ（緯度ｘ１、経度ｘ２、速力緯度成分ｘ３、速力経度成分ｘ４）から推定される観測データベースの各観測時刻における解析方位と、観測データベースの各観測時刻における観測方位の残差二乗を観測方位分散で正規化し、これらを時系列に合計した値を評価関数として最小化することで、非線形最適化問題として解くものである。
【００２５】
解析有効判定処理は、目標運動解析処理が出力した状態ベクトルＸの妥当性を判定する。判定処理としては、目標運動解析処理で最小化した評価関数が一定値以上の場合や、解析方位と観測方位の時系列残差プロットの直線性を判定し、直線性が認められない場合には解析無効として判定することができる。
【００２６】
ＦＩＭ最大化運動推定処理の精度は、目標運動解析処理の解析精度に依存する。このため、目標運動解析処理の解析精度が悪い場合には、目標運動解析処理の解析精度に依存しない固定運動を実施する。一方、状態ベクトルＸの解析精度が良い場合にはＦＩＭ最大化運動推定処理を実施する。ここで、固定運動は、予め定めた運動から選択する処理である。また、ＦＩＭ最大化運動は、自船の運動を推定して表示する処理である。
【００２７】
なお、図４を参照して後述するＦＩＭ最大化運動推定について、目標運動解析装置５０は、計算負荷軽減のために最小二乗法等の微分を用いた最尤法を用いる。これにより、目標運動解析装置５０は、特許文献１よりも、短周期の周期処理として駆動することが可能である。すなわち、目標運動解析装置５０は、よりリアルタイム性に優れた自船運動の指示値を計算することができる。さらに、目標運動解析処理の解析精度は、観測データベースの観測データ数が大きいほど高精度である。したがって、観測データベース５５４に観測データが追加された各タイミングで、目標運動解析装置５０は、図３の目標運動解析と最適自船運動リコメンドを処理し、より高精度な状態ベクトルＸを用いてＦＩＭ最大化運動推定処理を再計算させることができる、このため、目標運動解析装置５０は、ＦＩＭ最大化運動推定処理の精度を向上できる。
【００２８】
図４を参照して、ＦＩＭ最大化運動推定処理を説明する。図４において、Ｚは、推定パラメータを要素にもつベクトル（推定パラメータベクトルと呼ぶ）である。推定パラメータベクトルＺは、時刻ｔｋ＋１〜ｔｍの観測船の針路ＶＯ１をＣｏ１、時刻ｔｍ＋１〜ｔｎの観測船の針路ＶＯ２をＣｏ２として式（１）である。
【００２９】
【数１】
2010249593.tif 000003
【００３０】
目標運動解析装置５０は、推定パラメータベクトルＺに初期値を設定する（Ｓ３０１）。目標運動解析装置５０は、推定パラメータベクトルＺをＺｏｌｄとする（Ｓ３０２）。目標運動解析装置５０は、評価関数Φ（Ｚｏｌｄ）を算出する（Ｓ３０３）。目標運動解析装置５０は、ヤコビアン行列を算出する（Ｓ３０４）。目標運動解析装置５０は、修正量ΔＺを計算する（Ｓ３０５）。目標運動解析装置５０は、ＺをＺｏｌｄ＋ΔＺとする（Ｓ３０６）。目標運動解析装置５０は、評価関数Φ（Ｚ）を算出する（Ｓ３０７）。目標運動解析装置５０は、縮小因子を調整する（Ｓ３０８）。目標運動解析装置５０は、Φ（Ｚ）＜Φ（Ｚｏｌｄ）か判定する（Ｓ３０９）。ＹＥＳのとき、目標運動解析装置５０は、収束判定する（Ｓ３１０）。収束のとき、目標運動解析装置５０は、終了する。ステップ３０９でＮＯのとき、目標運動解析装置５０は、ステップ３０５に遷移する。ステップ３１０で未収束のとき、目標運動解析装置５０は、ステップ３０２に遷移する。
【００３１】
ステップ３０２〜３１０は、一般的な非線形最適化問題の解法の一つであるＭａｒｑｕａｒｄｔ法の処理手順である。ここで、評価関数Φ（Ｃｏ１，Ｃｏ２）は、式（２）に示すように推定パラメータＣｏ１、Ｃｏ２を変数に持つ関数である。ここでは、Ｍａｒｑｕａｒｄｔ法により、式（２）の評価関数Φ（Ｃｏ１，Ｃｏ２）が最大となるＣｏ１、Ｃｏ２を推定する。
【００３２】
【数２】
2010249593.tif 000004
【００３３】
式（２）において、ＦＩＭｉは、時刻ｔ１〜ｔｉまでの仮想観測データベース５５４Ｖを用いたフィッシャー情報行列である。ＦＩＭｉは、目標運動解析処理２０１が出力した状態ベクトルＸを用いて、式（３）〜（６）で表される。式（２）は、時刻ｔｋ＋１〜ｔｎまでのフィッシャー情報行列の行列式に対して対数をとり、これらを累積した形式となっている。ここで、時刻ｔｋ＋１〜ｔｎまでの時間で累積しているのは、時刻ｔｋ＋１〜ｔｎまでの時間帯における解析誤差を最小化するためである。
【００３４】
なお、式（２）において、フィッシャー情報行列の行列式を対数変換して累積しているのは、それぞれの時刻におけるフィッシャー情報行列の行列式に重みを付加するためである。
【００３５】
【数３】
2010249593.tif 000005
【００３６】
【数４】
2010249593.tif 000006
【００３７】
【数５】
2010249593.tif 000007
【００３８】
【数６】
2010249593.tif 000008
【００３９】
ここで、ｂｉ（Ｘ，Ｚ）は、時刻ｔｉにおける観測船からみた目標船の方位である。ｂｉ（Ｘ，Ｚ）は、目標船の状態ベクトル（緯度ｘ１、経度ｘ２、速力緯度成分ｘ３、速力経度成分ｘ４）と観測船の緯度ｘｏｉ、経度ｙｏｉから計算される。ｘｏｉ，ｙｏｉは、観測データベース５５４に格納されているｔｉにおける観測船の緯度、経度である。一方、ｔｉが未来時刻ｔｋ＋１〜ｔｎの場合、ｘｏｉ，ｙｏｉは、式（７）〜式（１０）で計算する。
【００４０】
ｔｉが、ｔｋ＋１以上かつｔｍ以下の場合
【００４１】
【数７】
2010249593.tif 000009
【００４２】
【数８】
2010249593.tif 000010
【００４３】
ｔｉが、ｔｍ＋１以上かつｔｎ以下の場合
【００４４】
【数９】
2010249593.tif 000011
【００４５】
【数１０】
2010249593.tif 000012
【００４６】
上述した、ＦＩＭ最大化運動は、針路が異なる複数の等速直進区間を含む運動であり、複数の予測時刻毎のフィッシャー情報行列式の重み付き累積値を評価関数、等速直進区間毎の複数の針路を推定パラメータとして、微分を用いた最尤法により前記推定パラメータを算出するものである。
【００４７】
式（２）に代わる他の評価関数として、式（１１）も考えうる。しかし、評価関数を式（１１）のように、時刻ｔｉのみフィッシャー情報行列を使った関数とすると、図５に示すように、時刻ｔｉでのみ解析誤差が最小化されてしまう。図５において、横軸は時刻、縦軸は解析誤差である。また、図５（ａ）は式（１１）を評価関数とした場合、図５（ｂ）は式（２）を評価関数とした場合を表している。式（２）では、時刻ｔｋ＋１〜ｔｎまでの時間で累積し、時刻ｔｋ＋１〜ｔｎまでの時間帯における解析誤差を最小化しているので、図5（b）には極値が現れていない。一方、式（１１）では、時刻ｔｉでのみ解析誤差が最小化され、図５（ａ）に極値が現れている。
【００４８】
【数１１】
2010249593.tif 000013
【００４９】
図６を参照して、固定運動決定処理の動作を説明する。図６の固定運動決定処理において、目標運動解析装置５０は、目標船の方位変化率が一定値以上か判定する（Ｓ４０１）。一定値以上のとき、目標運動解析装置５０は、観測データベースに格納されている観測船の針路、速力から自船の等速直進時間が一定時間以上か判定する（Ｓ４０２）。一定値以上のとき、目標運動解析装置５０は、目標方位変化方向に９０°変針を指示する（Ｓ４０３）。ステップ４０２で、一定値未満のとき、目標運動解析装置５０は、現在針路を指示する（Ｓ４０４）。ステップ４０１で、一定値未満のとき、目標運動解析装置５０は、目標方向を指示する。（Ｓ４０５）。
【００５０】
ステップ４０５で、方位変化率が一定値未満の場合、目標船は遠距離にいることが推測される。このため、目標運動解析装置５０は、目標船へ近づくための観測船の針路、すなわち目標方位を指示する。ステップ４０３で自船等速直進時間が一定値以上の場合、目標運動解析を収束させるために、目標運動解析装置５０は、目標船の方位変化率方向に９０°変針を指示する。なお、変針は４５°でもよい。
【００５１】
上述した実施例に拠れば、精度の高い最適自船運動リコメンドを出力する目標運動解析方法、目標運動解析装置およびプログラムを提供することができた。また、精度の高い最適自船運動リコメンドに沿った操船により、目標運動解析の収束が加速される。さらに、計算量を増加させることなく予測する観測船の運動パターン数を増やすことができる。すなわち、最適自船運動リコメンドを高精度化することができる。また、計算負荷を軽減できるため、最適自船運動リコメンドの再計算も容易なものになる。
【符号の説明】
【００５２】
ＶＴ…目標船の状態ベクトル、ＶＯ１…１レグ目の最適観測船針路Ｃｏ１、ＶＯ２…２レグ目の最適観測船針路Ｃｏ２、２０…音響センサ、３０…航海センサ、５０…目標運動解析装置、５４…ＣＰＵ、５５…メインメモリ、５６…出力装置、５７…Ｉ／Ｆ、５９…入力装置、５５１…目標運動解析プログラム、５５２…ＦＩＭ最大化運動推定プログラム、５５３…固定運動決定プログラム、５５４…観測データベース。
【図１】
2010249593.tif 000014
【図２】
2010249593.tif 000015
【図３】
2010249593.tif 000016
【図４】
2010249593.tif 000017
【図５】
2010249593.tif 000018
【図６】
2010249593.tif 000019